(57)【要約】【課題】貯蔵容器の幅を増して貯蔵品の収容量を大きくでき、併せて、レール部の組付けが合理的にできて、レール部の取付強度も高く得ることのできる冷蔵庫を提供する。【解決手段】製氷室４（特定の貯蔵室）の側方に小冷凍室５（他の貯蔵室）を有すると共に、これらの貯蔵室の下方に大冷凍室６（更に他の貯蔵室）を有するものにおいて、製氷室４の前面の開口部並びに小冷凍室５の前面の開口部と大冷凍室６の前面の開口部とを仕切る前仕切部１７と、製氷室４と小冷凍室５とを仕切る横仕切部１８と、横仕切部１８の下方であって且つ前仕切部１７の裏側に位置する部位に組付けられたレール部材２０と、前仕切部１７の裏側に位置して、レール部材２０の両側と庫内壁面部とにそれぞれ設けられたレール部２１〜２３，２５と、製氷室４と小冷凍室５とにそれぞれレール部２１〜２３，２５に沿って引出されるように設けられた貯蔵容器９，１０とを具備して成る。【選択図】図１
2014173812.tif 000002
【特許請求の範囲】
【請求項１】
特定の貯蔵室の側方に他の貯蔵室を有すると共に、これらの貯蔵室の下方に更に他の貯蔵室を有する冷蔵庫において、
前記特定の貯蔵室の前面の開口部並びに前記側方の貯蔵室の前面の開口部と下方の更に他の貯蔵室の前面の開口部とを仕切る前仕切部と、
前記特定の貯蔵室と側方の他の貯蔵室とを仕切る横仕切部と、
この横仕切部の下方であって且つ前記前仕切部の裏側に位置する部位に組付けられたレール部材と、
前記前仕切部の裏側に位置して、前記レール部材の両側とそれと対向する庫内壁面部とにそれぞれ設けられたレール部と、
前記特定の貯蔵室と側方の他の貯蔵室とに、それぞれ前記レール部に沿って引出されるように設けられた貯蔵容器とを具備して成ることを特徴とする冷蔵庫。
【発明の詳細な説明】
【技術分野】
【０００１】
本発明の実施形態は冷蔵庫に関する。
【背景技術】
【０００２】
従来より、冷蔵庫においては、複数の貯蔵室が具えられている。その貯蔵室は、冷蔵室、野菜室、製氷室、小冷凍室、及び大冷凍室等であり、一般に、最上部に冷蔵室が設けられ、その下方に野菜室が設けられ、更にその下方に製氷室と小冷凍室とが左右の並びで設けられ、最下部に大冷凍室が設けられている。
【０００３】
そのうち、野菜室と、製氷室、小冷凍室、及び大冷凍室は、内部に貯蔵容器を具えており、その貯蔵容器が貯蔵品を収容した状態でそれぞれ前面の扉と共に各室から引出されるようになっている。このため、各室にはそれぞれ両側面部にレールが設けられており、各貯蔵容器はその各レールに沿って引出されるようになっている。
【先行技術文献】
【特許文献】
【０００４】
【特許文献１】特開２００４−２０１６２号公報
【発明の概要】
【発明が解決しようとする課題】
【０００５】
しかしながら、上述のように各貯蔵容器を引出すためのレールが各室の両側面部に設けられたものでは、その各室の両側面部からのレールの突出寸法だけ、貯蔵容器の幅が減じられ、貯蔵品の収容量が少なくなってしまう。これを避けるためには、レールを冷蔵庫の周囲壁（断熱壁）に埋め込んで設けることが考えられるが、近年の冷蔵庫は、外形寸法に対する内容積効率の向上を図って周囲壁（断熱壁）の厚さを薄くする傾向にあり、レールを冷蔵庫の周囲壁に埋め込めば、その部分の断熱壁の厚さが一層小さくなって、断熱性の低下を招来してしまう。
【０００６】
このため、レールは各室の両側面部から突出させて設けるしかなく、その結果、上述のように、各貯蔵容器の幅が減じられて貯蔵品の収容量が少なくなってしまっていた。
そこで、貯蔵容器の幅を増して貯蔵品の収容量を大きくでき、併せて、レールの組付けが合理的にできて、レールの取付強度も高く得ることのできる冷蔵庫を提供する。
【課題を解決するための手段】
【０００７】
本実施形態の冷蔵庫は、特定の貯蔵室の側方に他の貯蔵室を有すると共に、これらの貯蔵室の下方に更に他の貯蔵室を有する冷蔵庫において、前記特定の貯蔵室の前面の開口部並びに前記側方の貯蔵室の前面の開口部と下方の更に他の貯蔵室の前面の開口部とを仕切る前仕切部と、前記特定の貯蔵室と側方の他の貯蔵室とを仕切る横仕切部と、この横仕切部の下方であって且つ前記前仕切部の裏側に位置する部位に組付けられたレール部材と、前記前仕切部の裏側に位置して、前記レール部材の両側とそれと対向する庫内壁面部とにそれぞれ設けられたレール部と、前記特定の貯蔵室と側方の他の貯蔵室とに、それぞれ前記レール部に沿って引出されるように設けられた貯蔵容器とを具備して成ることを特徴とする。
【図面の簡単な説明】
【０００８】
【図１】一実施形態を示す主要部分の縦断正面図
【図２】主要部分の縦断側面図
【図３】レール部材単体の斜視図
【図４】製氷室貯蔵容器とそれ用の支持フレーム及び製氷室扉の分解斜視図
【図５】小冷凍室貯蔵容器とそれ用の支持フレーム及び小冷凍室扉の分解斜視図
【図６】冷蔵庫全体の斜視図
【発明を実施するための形態】
【０００９】
まず、図６には、冷蔵庫の全容を示しており、縦長箱状の庫本体１が、内部に、上方より順に、貯蔵室である、冷蔵室２、野菜室３、製氷室４並びに小冷凍室５（図１に示す）、大冷凍室６を有している。これらの室２〜６のうち、冷蔵室２の内部には棚７を複数段に設けており、その他の室３〜６の内部には、それぞれ貯蔵容器８〜１１（小冷凍室５の貯蔵容器１０は図１及び図５に示す）を設けている。
【００１０】
又、庫本体１の前方には、室２〜６の各貯蔵品出入口である前面の開口部をそれぞれに封ずる扉１２〜１６を有している。これらの扉１２〜１６のうち、冷蔵室扉１２は開き戸式の扉であり、その他の扉１３〜１６は上記各貯蔵容器８〜１１と共に各室３〜６からそれぞれに引出される引出し式の扉である。又、前記庫本体１と上記各扉１２〜１６は、いずれも断熱壁で構成している。
【００１１】
次いで、図１には、製氷室４と小冷凍室５を主に示しており、この図でも明らかなように、製氷室４と小冷凍室５は左右の横並びであり、この場合、製氷室４が特定の貯蔵室、小冷凍室５がその特定の貯蔵室の側方に位置する他の貯蔵室であって、更に、大冷凍室６は、それらの貯蔵室（製氷室４及び小冷凍室５）の下方に位置する更に他の貯蔵室である。
製氷室４及び小冷凍室５の両前面の開口部と大冷凍室６の前面の開口部との間は、前仕切部１７で仕切っており、この前仕切部１７は、前記庫本体１の左右の両側壁間にわたるもので、製氷室４の前面の開口部と大冷凍室６の前面の開口部との間の部分を図２に示している。
【００１２】
又、図１に示すように、製氷室４及び小冷凍室５との間は横仕切部１８で仕切っており、この横仕切部１８は、製氷室４及び小冷凍室５と野菜室３との間を仕切る仕切部１９から下方に延びて下端を自由端としている。そして、この横仕切部１８の下方であって且つ前記前仕切部１７の裏側（陰の部分）に位置する部位には、レール部材２０を組付けている。
【００１３】
レール部材２０は、断熱材であるプラスチックにより型成形したものであり、図３に示すように、前後に長い四角柱の梁状を成していて、前仕切部１７の裏面から前記製氷室４及び小冷凍室５との間の奥行全長にわたって組付けている。又、このレール部材２０の幅は、図１に示すように、上記横仕切部１８の厚みより大きく、その両側に、前記前仕切部１７の裏側に位置してレール部２１，２２を、ともにレール部材２０の全長にわたり溝状に形成して設けている。
【００１４】
レール部２１，２２のうち、製氷室４側のレール部２１は断面コ字形を成しており、小冷凍室５側のレール部２２は断面逆コ字形を成している。又、レール部２１に対向して、製氷室４側の庫本体１の内壁面、すなわち庫内壁面部には、断面逆コ字形のレール部２３を形成した対向レール部材２４を組付けて設けており、このようにして、レール部２１と対向する庫内壁面部にレール部２３を設けている。
【００１５】
又、レール部２２に対向しては、小冷凍室５側の庫本体１の内壁面、すなわちこの場合も庫内壁面部に、断面コ字形のレール部２５を形成した対向レール部材２６を組付けて設けており、このようにして、レール部２２と対向する庫内壁面部にレール部２５を設けている。
この場合、これらのレール部２３，２５も、前記前仕切部１７の裏側に位置しており、すなわち、レール部２１，２２と同高さ位置にあって、前仕切部１７の裏面から製氷室４及び小冷凍室５のほゞ最奥部まで達する長さで設けている（図２参照）。
【００１６】
そして、図４は、製氷室貯蔵容器９と、それ用の支持フレーム２７、及び製氷室扉１４を示しており、この図で明らかなように、製氷室貯蔵容器９はほゞ直方体状の箱形を成しており、この場合、プラスチックの成型品である。又、支持フレーム２７は、製氷室貯蔵容器９の外形とほゞ同等の大きさの平面コ字形を成しており、この場合、鋼板やプラスチック成型品の組立品である。この支持フレーム２７の左右両側部の後部から下方には、脚２８を設けており、同左右両側部の前部から内側には扉取付部２９を設けている。
【００１７】
図５は、小冷凍室貯蔵容器１０と、それ用の支持フレーム３０、及び小冷凍室扉１５を示しており、この図で明らかなように、小冷凍室貯蔵容器１０もほゞ直方体状の箱形を成しており、この場合、プラスチックの成型品である。又、支持フレーム３０は、小冷凍室貯蔵容器１０の外形とほゞ同等の大きさの平面コ字形を成しており、この場合、鋼板やプラスチック成型品の組立品である。この支持フレーム３０の左右両側部の後部から下方には、脚３１を設けており、同左右両側部の前部から内側には扉取付部３２を設けている。
【００１８】
この構成で、支持フレーム２７に製氷室貯蔵容器９を載置し、扉取付部２９に前記製氷室扉１４を取付けている。又、支持フレーム３０には小冷凍室貯蔵容器１０を載置し、扉取付部３２に前記小冷凍室扉１５を取付けている。
【００１９】
その上で、図２に代表して示すように、支持フレーム２７の脚２８を前記レール部２３とレール部２１とに挿入し（図２にはレール部２３側のみ図示）、支持フレーム３０の脚３１を前記レール部２５とレール部２２とに挿入している。図２には又、製氷室４側で前記前仕切部１７の上面に突設したフレーム受け３３を示しており、このフレーム受け３３で支持フレーム２７の左右両側部を受け、同様に小冷凍室５側で前記前仕切部１７の上面に突設したフレーム受け（図示せず）で支持フレーム３０の左右両側部を受けるようにしている。
【００２０】
更に、図２には、製氷室４の上部に設置した製氷皿３４と、この製氷皿３４から離氷させる離氷機構３５、及び製氷室貯蔵容器９内の貯氷量を検知する貯氷検知レバー３６をも示している。加えて、製氷室４の奥部に形成した冷気ダクト３７や冷却器室３８をも示している。
【００２１】
以上の構成にて、製氷室扉１４を前方に引けば、支持フレーム２７がフレーム受け３３で受けられつつ、脚２８をレール部２１，２３に摺動させて、製氷室貯蔵容器９が製氷室４から前方に引き出される。又、小冷凍室扉１５を前方に引けば、支持フレーム３０が図示しないフレーム受けで受けられつつ、脚３１をレール部２２，２５に摺動させて、小冷凍室貯蔵容器１０が小冷凍室５から前方に引き出される。
そして、その各引出し状態から、製氷室扉１４を後方に押し込めば、上述とは逆の動作で製氷室貯蔵容器９が製氷室４に収納され、小冷凍室扉１５を後方に押し込めば、同じく上述とは逆の動作で小冷凍室貯蔵容器１０が小冷凍室５に収納される。
【００２２】
本実施形態においては、製氷室４（特定の貯蔵室）並びに小冷凍室５（特定の貯蔵室の側方に位置する他の貯蔵室）の両前面の開口部と、大冷凍室６(特定の貯蔵室並びにこれの側方に位置する他の貯蔵室の下方に位置する更に他の貯蔵室)の前面の開口部とを仕切る前仕切部１７の裏側に位置して、レール部材２０の両側と庫本体１の内壁面（庫内壁面部）とにそれぞれレール部２１，２２，２３，２５を設けている。
【００２３】
この場合、前仕切部１７の裏側は、製氷室４及び小冷凍室５の各貯蔵容器９，１０の収納に寄与しない（各貯蔵容器９，１０を前仕切部１７の裏側にまで収納する大きさとすると、各貯蔵容器９，１０の引出しが前仕切部１７に阻害されてできない）、要するにデッドスペースであり、このデッドスペースにレール部２１，２２，２３，２５を設けていることで、レール部２１，２２，２３，２５が庫内に突出しても、各貯蔵容器９，１０の幅を減じることがない。よって、各貯蔵容器９，１０の幅を、レール部２１，２２，２３，２５の突出寸法に関係なく大きくできるものであり、もって、それぞれの貯蔵品の収容量を大きくすることができる。
【００２４】
又、本実施形態においては、上記レール部材２０を、上記製氷室４と小冷凍室５とを仕切る横仕切部１８の下方であって且つ上記前仕切部１７の裏側に位置する部位に設け、このレール部材２０の両側にレール部２１，２２を設けている。これにより、レール部材２０を庫本体1に組付けることで、２つのレール部２１，２２の組付けも同時にでき、該レール部２１，２２の組付けが合理的にできる。
【００２５】
更に、この場合、レール部材２０を、横仕切部１８の下方であって且つ前仕切部１７の裏側に位置する部位に組付けることで、それら横仕切部１８と前仕切部１７及びレール部材２０の３部材が上下左右及び前後に交差して組付けられ、強度を高く得ることができる。そして、その状況で、レール部材２０の両側にレール部２１，２２を設けていることで、レール部２１，２２の取付強度も高く得ることができるものであり、ひいては製氷室貯蔵容器９、小冷凍室貯蔵容器１０、製氷室扉１４、及び小冷凍室扉１５の各支持強度も高く得ることができて、製品の信頼性を高めることができる。
【００２６】
以上説明した冷蔵庫は、上記実施形態にのみ限定されるものではなく、特にレール部材２０は一本の梁状でなく、左右で分割形成したものを合わせて一本の梁状に構成するものであっても良い。
又、レール部２１，２２，２３，２５は、レール部材２０並びに対向レール部材２４，２６にそれぞれ別の金属性等のレールを取付けて設けていても良い。
更に、横仕切部１８が庫本体１と別体で該庫本体１に組付けられるものであれば、レール部材２０はその横仕切部１８と一体に設けても良い。
【００２７】
そのほか、上記実施形態は例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれると共に、特許請求の範囲に記載された発明とその均等の範囲に含まれる。
【符号の説明】
【００２８】
図面中、４は製氷室（特定の貯蔵室）、５は小冷凍室（側方の他の貯蔵室）、６は大冷凍室（下方の更に他の貯蔵室）、９は製氷室貯蔵容器、１０は小冷凍室貯蔵容器、１７は前仕切部、１８は横仕切部、２０はレール部材、２１〜２３，２５はレール部を示す。
【図１】
2014173812.tif 000003
【図２】
2014173812.tif 000004
【図３】
2014173812.tif 000005
【図４】
2014173812.tif 000006
【図５】
2014173812.tif 000007
【図６】
2014173812.tif 000008